(57)【要約】【解決手段】本発明は、受圧ハウジング（７）、給水口（８）、濃縮水口（１０）、産出水口（９）、中心パイプ（１）及び中空繊維膜糸（６）を備え、前記中空繊維膜糸（６）、中心パイプ（１）及び受圧ハウジング（７）が一体に固定され、前記給水口（８）が前記中空繊維膜糸（６）の一端に設けられ、前記濃縮水口（１０）が前記中空繊維膜糸（６）の他端に設けられ、前記産出水口（９）が前記中心パイプ（１）の一端又は両端に設けられ、前記中心パイプ（１）の側壁には小穴（１１）が開けられた固定構造付き中空繊維膜モジュールを提供し、前記モジュールが前記中空繊維膜糸（６）を固定する為に少なくとも一つの分離固定リング（２）を有し、前記分離固定リング（２）が前記中心パイプ（１）に固定され、前記中空繊維膜糸（６）が前記分離固定リング（２）によって並列されていることを特徴とする。【選択図】図１
2009529413.tif 000002
【特許請求の範囲】
【請求項１】
受圧ハウジング（７）、給水口（８）、濃縮水口（１０）、産出水口（９）、中心パイプ（１）及び中空繊維膜糸（６）を備え、
前記中空繊維膜糸（６）、中心パイプ（１）及び受圧ハウジング（７）が一体に固定され、
前記給水口（８）が前記中空繊維膜糸（６）の一端に設けられ、
前記濃縮水口（１０）が前記中空繊維膜糸（６）の他端に設けられ、
前記産出水口（９）が前記中心パイプ（１）の一端又は両端に設けられ、
前記中心パイプ（１）の側壁に小穴（１１）が開けられた固定構造付き中空繊維膜モジュールにおいて、
前記モジュールは前記中空繊維膜糸（６）を固定する為に少なくとも一つの分離固定リング（２）を有し、
前記分離固定リング（２）は前記中心パイプ（１）に固定され、
前記中空繊維膜糸（６）は前記分離固定リング（２）によって並列されたことを特徴とする中空繊維膜モジュール。
【請求項２】
前記分離固定リングは、一個である場合、前記中心パイプの中央に設置される一方、複数である場合、前記中心パイプに等間隔で分布されることを特徴とする、請求項１に記載の中空繊維膜モジュール。
【請求項３】
前記中空繊維膜糸は両端が接着材料によって前記中心パイプと一体化されてから、前記受圧ハウジング内に差し込まれることを特徴とする、請求項１に記載の中空繊維膜モジュール。
【請求項４】
前記中空繊維膜糸、中心パイプ及び受圧ハウジングは接着材料によって直接に一体化されることを特徴とする、請求項１に記載の中空繊維膜モジュール。
【請求項５】
前記分離固定リングは外周に外リングが、内部に内リングがそれぞれ設置され、前記外リングと内リングとの間には複数の径方向リブプレートが等間隔で設けられ、また前記分離固定リングの外リング、内リング及び径方向リブプレートによって形成された環状空間内には前記中空繊維膜糸が等数量で入れられ、前記中空繊維膜糸が前記中心パイプと並行することを特徴とする、請求項２に記載の中空繊維膜モジュール。
【請求項６】
前記外リングには貫通穴が設けられ、前記内リングは前記中心パイプに固定され、前記径方向リブプレートは長さ５ＭＭ以上、幅２ＭＭ以上、厚さ２ＭＭ以上で、また、前記分離固定リングが複数であれば、分離固定リング毎に径方向リブプレートが同一な平面に分布されることを特徴とする、請求項５に記載の中空繊維膜モジュール。
【請求項７】
前記外リングは前記径方向リブプレートと一体化されることを特徴とする、請求項５に記載の中空繊維膜モジュール。
【請求項８】
前記外リングは複数のコンポーネントを有し、前記コンポーネントはそれぞれ前記径方向リブプレートに差し込まれ、前記コンポーネントは少なくとも２個あり、精々前記径方向リブプレートの数量と同様であることを特徴とする、請求項５に記載の中空繊維膜モジュール。
【請求項９】
前記コンポーネントは前記径方向リブプレートと一体に接着され、又は前記コンポーネントは前記径方向リブプレートと係着し、前記径方向リブプレートから取り外せることを特徴とする、請求項８に記載の中空繊維膜モジュール。
【請求項１０】
請求項１〜９のいずれかに記載の中空繊維膜モジュールを備えることを特徴とするフィルター。
【発明の詳細な説明】
【技術分野】
【０００１】
本発明は、濾過設備に関し、特に固定構造付き中空繊維膜モジュールに関する。
【背景技術】
【０００２】
中空繊維膜は、既に水処理、生物分離、空気濾過などの場合に広く応用されている。中空繊維膜モジュールの代表的な構造として、一束の中空繊維膜を受圧ハウジング中に入れて膜束の端部を固定するものがある。このような膜束を直接に受圧ハウジング中に入れる方式では、繊維膜がもつれて乱れやすい問題がある。
【０００３】
前記直接固定する膜モジュールの改良対策として、膜束の外周にネット状保護層を設ける方法と、仕切板によって膜を数束に分ける方法が挙げられる。これらの方法は、膜に対して一定の保護機能を働くが、やはり膜束への損害を起こしやすい。
【０００４】
また、水流分布と産出水収集も確実にコントロールできない。よって、膜糸が切れやすくて、濾過能率も悪い。特に、膜モジュールの直径と長さが比較に大きい場合、前記問題は一層に深刻化する。
【０００５】
これらの問題に対して、膜束の端部に水配分装置を追加して流水を分散化し、水配分装置、膜束及び受圧ハウジングを接着して固定する方法も提出されたが、やはり水配分が不均一な問題は残存した。
【０００６】
そこで、当分野では、構造が合理的、水流分布と産出水収集が更に合理的且つ高能率で、中空膜糸の利用効率がアップ、また濾過能率が高い中空繊維膜モジュールがとても必要になる。
【発明の開示】
【発明が解決しようとする課題】
【０００７】
本発明は、中空繊維膜モジュールに固定構造を追加する方法によって、従来の問題を解決できる。
【課題を解決するための手段】
【０００８】
本発明は、受圧ハウジング、給水口、濃縮水口、産出水口、中心パイプ及び中空繊維膜糸を備えた固定構造付き中空繊維膜モジュールを提供する。
前記中空繊維膜糸、中心パイプ及び受圧ハウジングは一体に固定され、前記給水口は前記中空繊維膜糸の一端に設けられ、前記濃縮水口は前記中空繊維膜糸の他端に設けられ、前記産出水口は前記中心パイプの一端又は両端に設けられ、前記中心パイプの側壁には小穴が開けられている。
【０００９】
また、前記モジュールは、前記中空繊維膜糸を固定する為に少なくとも一つの分離固定リングをさらに有し、前記分離固定リングは前記中心パイプに固定され、前記中空繊維膜糸は前記分離固定リングによって並列される。
【００１０】
一つの好ましい実施形態においで、前記分離固定リングは一個であれば前記中心パイプの中央に設置される一方、前記分離固定リングは複数であれば前記中心パイプに等間隔で分布される。
【００１１】
もう一つの好ましい実施形態においで、前記中空繊維膜糸は両端が接着材料によって前記中心パイプと一体化されてから前記受圧ハウジング内に差し込まれる。
もう一つの好ましい実施形態においで、前記中空繊維膜糸、中心パイプ及び受圧ハウジングは接着材料によって直接に一体化される。
【００１２】
もう一つの好ましい実施形態においで、前記分離固定リングは外周に外リングが、内部に内リングがそれぞれ設置され、前記外リングと内リングとの間には複数の径方向リブプレートが等間隔で設けられ、また前記分離固定リングの外リング、内リング及び径方向リブプレートによって形成された環状空間には前記中空繊維膜糸が等数量で入れられ、前記中空繊維膜糸は前記中心パイプと平行する。
【００１３】
もう一つの好ましい実施形態においで、前記外リングには貫通穴が設けられ、前記内リングは前記中心パイプに固定され、前記径方向リブプレートは長さ５ｍｍ以上、幅２ｍｍ以上、厚さ２ｍｍ以上であり、また、前記分離固定リングが複数であれば、分離固定リング毎に径方向リブプレートが同一な平面に分布される。
もう一つの好ましい実施形態においで、前記外リングは前記径方向リブプレートと一体化される。
【００１４】
もう一つの好ましい実施形態においで、前記外リングは複数のコンポーネントを有し、前記コンポーネントはそれぞれ前記径方向リブプレートに差し込まれ、前記コンポーネントは少なくとも２個あり、精々前記径方向リブプレートの数量と同様である。
【００１５】
もう一つの好ましい実施形態においで、前記コンポーネントが前記径方向リブプレートと一体に接着され、又は前記コンポーネントが前記径方向リブプレートと係着し、前記径方向リブプレートから取り外せる。
【００１６】
なお、本発明は前記中空繊維膜モジュールを備えるフィルターを提供する。
【発明の効果】
【００１７】
本発明の主なメリットは下記のごとく。
分離固定リングは、膜束を固定しながら膜束を互いに隔てると共に、膜束間でランナーを形成することから、膜糸による水流への抵抗を大幅に低減できる。
【００１８】
また、原水は給水口から流入し、中空繊維膜糸の膜壁を経由しで中空繊維膜糸の外へ浸透して産出水を形成する一方、原水は膜糸内壁の他端へ流れて濃縮水を形成する。
産出水は前記分離固定リングによって形成されたランナーを経由しでスムーズに産出水口へ合流でき、濃縮水は濃縮水口から排出するので、膜糸の工作能率を大分に向上できる。
【００１９】
従って、本発明の構造によれば、膜モジュールの直径と長さが大きくても、膜糸の整然とした配列と高能率が維持でき、産出水の合流と順調さも保証できる。
【発明を実施するための最良の形態】
【００２０】
本発明の発明者は、幅広く且つ深く研究した上で、中空繊維膜モジュールに例えば分離固定リングなどの固定構造を追加することでその構造が合理的、水流分布と産出水収集が更に合理的且つ高能率で、中空膜糸の利用効率がアップ、それに濾過能率が高い中空繊維膜モジュールを得られるとわかった。前記発現によって本発明を完遂した。
【００２１】
以下、図面を参照して、本発明についてより詳しく説明する。但し、本発明を説明する為のものであっで、本発明の範囲を限定するものではない。
図１は、本発明の好ましい実施形態に係る固定構造付き中空繊維膜モジュールを示す断面図である。図１に示すように、前記中空繊維膜モジュールは円筒状の構造を採用している。
【００２２】
中心パイプ１も円筒体であり、その外壁には小穴１１が開けられている。分離固定リング２は、等間隔で中心パイプ１に固定され、中空繊維膜糸６を隔てて固定する。分離固定リング２毎に径方向リブプレート３は中心パイプ１の軸線に沿って一つの平面を形成する。
【００２３】
中空繊維膜糸６も円筒状で、中心パイプ１と平行に設置され、その端部が中心パイプ１と固定されている。これら中空繊維膜糸６は分離固定リング２によって並列されている。前記中心パイプ１、中空繊維膜糸６及び分離固定リング２からなる部材を受圧ハウジング７に差し込んで、膜糸の端部外縁と受圧ハウジング７との間を密閉する。
【００２４】
もう一つの実施形態では、接着材料を使って膜糸端部、中心パイプ１及び受圧ハウジング７を直接に一体化しても良い。もう一つの実施形態では、分離固定リング２が一個であれば、当該リングを中心パイプ１の真ん中に設置する。
【００２５】
以下、当該中空繊維膜モジュールの工作原理を説明する。限外ろ過膜が内圧膜である場合、原水は中空繊維膜糸６の一端に設けされた給水口８から流入し、濾過した産出水は膜束間の隙間を通って中心パイプ１の貫通穴を経由しで中心パイプ１内に流入して、中心パイプ１の両端の産出水口９から流出する。
【００２６】
濾過しなかった原水は膜糸内壁を経由しで膜糸６の他端へ流れ、濃縮水になって濃縮水口１０から流出する。その中、産出水口９は中心パイプ１の一端のみに設けるのも良い。
また、限外ろ過膜が外圧膜である場合、給水口８と濃縮水口１０は産出水口に変わり、産出水口９は曝气口になり、産出水は膜外壁を経由しで給水口８と濃縮水口１０から流出する。
【００２７】
図２は当該実施形態の分離固定リング２の構造を示した。
図２に示すように、分離固定リング２は、外リング４、内リング５、及び両者間で等間隔で設置された径方向リブプレート３から構成される。
【００２８】
外リング４には複数の貫通穴１２が開けられ、内リング５は中心パイプ１に固定され、径方向リブプレート３は一般に長さ５ｍｍ以上、幅２ｍｍ以上、厚み２ｍｍ以上である。
外リング４と径方向リブプレート３の組付けにあたっては、一体化にしても良いし、外リング４を複数のコンポーネントに分けて、それぞれ径方向リブプレート３に差し込んでも良い。
【００２９】
コンポーネントは少なくとも２個あり、精々径方向リブプレート３と同じ数量でも良い。コンポーネントは径方向リブプレート３と一体に接着されても良いし、径方向リブプレート３と係着されてもよい。
【００３０】
係着の場合、コンポーネントは簡易に径方向リブプレート３から取り外せる。分離固定リングの外リング４、内リング５及び径方向リブプレート３により構成された環状空間には、中空繊維膜糸が等数量で入れられる。
【００３１】
本発明の主なメリットは下記のごとく。
分離固定リングは、膜束を固定しながら膜束を互いに隔てると共に、膜束間でランナーを形成することから、膜糸による水流への抵抗を大幅に低減できる。
【００３２】
また、原水は給水口から流入し、中空繊維膜糸の膜壁を経由しで中空繊維膜糸の外へ浸透して産出水を形成する一方、原水は膜糸内壁の他端へ流れて濃縮水を形成する。
産出水は前記分離固定リングによって形成されたランナーを経由しでスムーズに産出水口へ合流でき、濃縮水は濃縮水口から排出するので、膜糸の工作能率を大分に向上できる。
【００３３】
従って、本発明の構造によれば、膜モジュールの直径と長さが大きくても、膜糸の整然とした配列と高能率が維持でき、産出水の合流と順調さも保証できる。
前記のように、明確化と理解し易さの為に本発明について詳しく説明したが、当分野の技術者であれば、本願を読んだ後、本発明の主旨と実質を脱出しない前提で、本発明に対して各種類の修正と変更が実施可能で、これらの修正と変更のいずれも添付の請求項及びその相当内容が言及する範囲以内に入ることを分かるだろう。
【図面の簡単な説明】
【００３４】
【図１】図１は、本発明の好ましい実施形態に係る固定構造付き中空繊維膜モジュールを示す断面図である。
【図２】図２は、当該好ましい実施形態における分離固定リングの構造を示す概略図である。
【符号の説明】
【００３５】
１…中心パイプ
２…分離固定リング
３…径方向リブプレート
４…外リング
５…内リング
６…中空繊維膜糸
７…受圧ハウジング
８…給水口
９…産出水口
１０…濃縮水口
１１…小穴
１２…貫通穴
【図１】
2009529413.tif 000003
【図２】
2009529413.tif 000004
【国際調査報告】
2009529413.tif 000005
2009529413.tif 000006
2009529413.tif 000007
2009529413.tif 000008